(57)【要約】光学式報告書生成システムは、少なくとも一人の患者の生の監視データを保存し、前記生の監視データに基づいて、所定の時間間隔で、光学式報告書を生成する、臨床的な情報システム（“ＣＩＳ”）サーバ（１０５）を含む。制御サーバ（１００）は、前記生の監視データに基づいて、生成すべき前記報告書を判定する。前記光学式報告書は、前記生の監視データに基づいて生成できる可能なすべての報告書を含む。１つの実施形態において、このシステムは、光学式報告書を保存する光学式アーカイブをさらに含む。
2005530221.tif 000002
【特許請求の範囲】
【請求項１】
一人以上の患者の生の監視データを保存し、生の監視データに基づいて所定の時間間隔で光学式報告書を生成し、データベースを含む臨床情報システム（ＣＩＳ）サーバと、
前記生の監視データに基づいて報告書を生成することを決定する制御サーバを含む光学式報告書生成システムであって、前記光学式報告書は、前記生の監視データに基づいて生成できるすべての光学式報告書を含むことを特徴とする光学式報告書生成システム。
【請求項２】
光学式報告書を保存する光学式アーカイブをさらに含むことを特徴とする、請求項１に記載の光学式報告書生成システム。
【請求項３】
光学式保管庫がウェブ閲覧システムによってアクセス可能であることを特徴とする、請求項１に記載の光学式報告書生成システム。
【請求項４】
前記生の監視データが各光学式報告書について固有であることを判定するためにデータベースの構成にクエリを発するようになっている前記制御サーバを特徴とする、請求項１に記載の光学式報告書生成システム。
【請求項５】
ある患者が前記の生の監視データのどれに関連しているかを判定するためにデータベースにクエリを発するようになっている前期制御サーバを特徴とする、請求項１に記載の光学式報告書生成システム。
【請求項６】
各患者に対して光学式報告書を生成することを判定するためにデータベースにクエリを発するようになっている前記制御サーバを特徴とする、請求項１に記載の光学式報告書生成システム。
【請求項７】
前記制御サーバは、各光学式報告書に対応する前記生の監視データの保存時間を判断し、保存時間が所定の間隔よりも早いときに光学式報告書の開始時間を調整するようになっていることを特徴とする、請求項１に記載の光学式報告書生成システム。
【請求項８】
光学式医療報告書の生成方法であって、
一人以上の患者の生の監視データを臨床情報システム（ＣＩＳ）データベースのデータベース中に保存することと、
前記生の監視データに基づいて、生成する報告書を決定し、前記光学式報告書は、前記生の監視データに基づいて生成されうるすべてのありうる光学式報告書を含むものとすることと、
前記生の監視データに基づいて、所定の時間間隔で光学式報告書を生成すること、を含むことを特徴とする方法。
【請求項９】
光学式保管庫に光学式報告書を保存することをさらに含むことを特徴とする、請求項８による方法。
【請求項１０】
ウェブ閲覧システムを介して光学式保管庫にアクセスすることをさらに含むことを特徴とする、請求項８による方法。
【請求項１１】
前記生の監視データが各光学式報告書に特有であることを判定するためにデータベースの構成をクエリすることをさらに含むことを特徴とする、請求項８による方法。
【請求項１２】
前記の生の監視データのそれぞれがどの患者に属するのかを判定するためにデータベースにクエリすることをさらに含むことを特徴とする、請求項８による方法。
【請求項１３】
各患者に対して生成すべき光学式報告書を判定するためにデータベースにクエリすることをさらに含むことを特徴とする、請求項８による方法。
【請求項１４】
各光学式報告書に対応する前記生の監視データの保存時間を決定すること、そして保存時間が所定の間隔より早いときに、開始時間を調整することをさらに含むことを特徴とする、請求項８による方法。
【請求項１５】
機械実行時に結果として生じる次の命令を保存している保存媒体を備えることを特徴とする物品。
一人以上の患者の生の監視データを、臨床情報システム（ＣＩＳ）データベースのデータベース中に保存すること；
前記生の監視データに基づいて生成する報告書を決定すること、ただしその光学式報告書は前記の生の監視データに基づいて生成できるすべてのありうる光学式報告書を含むものとする；および、
所定の時間間隔で、前記の生の監視データに基づいて光学式報告書を生成すること。
【請求項１６】
前記命令がさらに、光学式保管庫中に光学式報告書を保存されることを特徴とする、請求項１５による物品。
【請求項１７】
前記命令がさらに、おのおのの光学式報告書に特有の前記生の監視データを判定するためにデータベースの構成にクエリを発せさせることを特徴とする、請求項１５による物品。
【請求項１８】
前記命令がさらに、前記生の監視データのそれぞれがどの患者に属するかを判定するためにデータベースにクエリを発せさせることを特徴とする、請求項１５による物品。
【請求項１９】
前記命令がさらに、各患者に対して生成すべき光学式報告書を判定するためにデータベースにクエリを発せさせることを特徴とする、請求項１５による物品。
【請求項２０】
前記命令がさらに、各光学式報告書に対応するデータの保管時間を判定し、保存時間が所定の間隔よりも早いときに、光学式報告書の保存時間を調整することを特徴とする、請求項１５による物品。
【請求項２１】
ログイン情報の入力をユーザに促すログイン・モジュール；
前記ログイン情報が有効であるときにユーザにウェブ閲覧アプリケーション・プログラムへのアクセスを可能にするアクセス・モジュール、ただし、前記ウェブ閲覧アプリケーション・プログラムはユーザに選択肢を提供するものとし、前記選択肢は光学式報告書のさまざまなタイプに関連するものとする；
選択された光学式報告書をユーザが閲覧するために提供する閲覧モジュール；および、
選択された選択肢を記録するログ・モジュール；
を含むことを特徴とするウェブ閲覧システム。
【請求項２１】
前記選択肢がＣＡＲＥＶＵＥ報告書を含むことを特徴とする、請求項２０によるウェブ閲覧システム。
【請求項２２】
ＣＡＲＥＶＵＥ報告書が集中治療室（ＩＣＵ）中の患者に対応することを特徴とする、請求項２１によるウェブ閲覧システム。
【請求項２３】
ログイン情報が有効なときに、インタフェース・モジュールが報告書アプリケーション・プログラムとインタフェースして、ユーザを報告書アプリケーション・プログラムにログすることを特徴とする、請求項２０によるウェブ閲覧システム。
【請求項２４】
ユーザをログイン情報に促すこと；
ログイン情報が有効なときにユーザにウェブ閲覧アプリケーション・プログラムへのアクセスを可能にすること、ただし、前記ウェブ閲覧アプリケーション・プログラムは、ユーザに選択肢を提供すること、そして前記選択肢はさまざまな光学式報告書に関連していること；
閲覧するためにユーザに選択された光学式報告書を提供すること；および、
前記選択された選択肢とログでユーザにより閲覧される光学式報告書を記録すること；
を含む報告書アプリケーション・プログラムへのアクセスを提供する方法。
【請求項２５】
選択肢がＣＡＲＥＶＵＥ報告書を含むことを特徴とする、請求項２４による方法。
【請求項２６】
ＣＡＲＥＶＵＥ報告書が集中治療室（ＩＣＵ）中の患者に対応していることを特徴とする、請求項２５による方法。
【請求項２７】
ログイン情報が有効なときにユーザを報告書アプリケーション・プログラムにログするための報告書アプリケーション・プログラムとのインタフェースをさらに含むことを特徴とする、請求項２４による方法。
【請求項２８】
機械実行に結果として生じる次の命令を保存している保存媒体を備える物品。
ユーザにログイン情報を促すこと；
ログイン情報が有効なときにユーザにウェブ閲覧アプリケーション・プログラムへのアクセスを可能にすること、ただし、ウェブ閲覧アプリケーション・プログラムはユーザに選択肢を提供し、前記選択肢はさまざまな光学式報告書に関連していること；
ユーザの閲覧のために選択された選択肢報告書を提供すること；および、
選択された選択肢とログでユーザにより閲覧された光学式報告書を記録すること。
【請求項２９】
その選択肢がＣＡＲＥＶＵＥ報告書を含むことを特徴とする、請求項２８による物品。
【請求項３０】
そのＣＡＲＥＶＵＥ報告書が集中治療室（ＩＣＵ）中の患者に対応することを特徴とする、請求項２９による物品。
【請求項３１】
前記命令がさらに、ログイン情報が有効なときに、ユーザを報告書アプリケーション・プログラムにログするように報告書アプリケーション・プログラムとのインタフェースをもたらすことを特徴とする、請求項２８による物品。
【発明の詳細な説明】
【技術分野】
【０００１】
発明の技術分野
本発明は、光学式報告書保管庫と光学式報告者閲覧の分野に関する。
【背景技術】
【０００２】
関連技術の説明
過去２０年間、集中治療室（ＩＣＵ）および他の患者区域中の患者の治療に関するデータを受信し、ディスプレイし、記録する情報システムが開発されてきた。大抵の現行システムは、通常、コンピュータが生成した紙報告書のみを、患者に対する最終医療法定報告書として準備する。患者の主要統計ならびに介護者覚書と病室での看護活動に関する報告書は、通常、各患者の治療における各治療提供者の役割の法的記録を提供するために、シフト毎ベースで印刷される。しかしながら、各シフト後の報告書の印刷は、各患者に対しおびただしい量の紙を印刷することになる。さらに、これらの報告書は、しばしば、かさばり、治療の継続期間中、分類し、管理し、保管するのは困難をきわめる。
【０００３】
この技術分野には、光学式記録保管システムがあることはある。しかし、そのようなシステムは、通常、ユーザにデータを手動で入力することを求めるか、ユーザに光学式記録に記憶されるべきデータの集積を開始するように求める。これらのシステムのあるものは、その日の一定の時刻に、可能な医療報告書をすべて保管する。このようなシステムは、可能な報告書をすべて保管するように設計されている。そうでなければ、必要な医療法的チャートが保存されなくなってしまう。患者全員について、可能な報告書のデータをすべて得られない場合が多い。例えば、患者が人口呼吸器を使用していなくても、ブランクの人口呼吸器報告書が光学式保管庫に印刷されてしまう。したがって、このアプローチは、通常、一年間で何千という空虚な報告書を発生させる。保管スペースを無駄にし、さらに空虚な報告書を永久に保管していれば、チャートの再閲覧を無駄にし、困難にする。
【０００４】
別のシステムは、物理的な印刷（すなわち、印刷機への印刷）のために、看護士／介護者が手動で選択した医療報告書をすべて保管する。このようなシステムを使うと、看護士／介護者は、必要な報告書をすべて物理的に印刷しなければならず、また公式医療法的記録は、病院／ケアセンター用の光学式保管庫の中の電子コピーとして規定することができるため、これらの紙を捨てなければならない。加えて、このシステムを選択した場合、看護士／介護者が、看護シフトの間のデータが保存されているすべての報告書を印刷することを覚えていなければならない。しばしば看護士／介護者は、他の看護士／セラピストおよび他の介護者が看護シフトの間に保存したデータ、または他の電子システムによって自動的に保存されたデータを知らないことがある。したがって、看護士／介護者は、しばしば、保管の必要なすべての報告書を印刷せず、このため光学式保管庫に必要な報告書が保存されない事態を招いてきた。
【０００５】
加えて、どちらのシステムを選択しても、医療法的に完全なチャートを維持することができない。この原因は、そのチャートへの「遅れた入力」に関連している。「遅れた入力」は、看護用のチャートが自動的にまたは手動で印刷されるか、保管庫に保存された後になされた入力と定義される。例えば、看護士／介護者は、しばしば、入力するのを忘れ、思い出しては後で入力することもあれば、あまりにも忙しいためにシフトが済んでから入力することもある。シフトの終盤にかけて行われた血液検査結果は、シフトの終了後に臨床情報システムへしばしば送信されるデータの一例である。このような「遅れた入力」に対しては、次のシフトの任務に就く看護士／介護者がその報告書を知っており、再印刷することを覚えていれば、その入力を含んだ最新報告書が光学式保管庫に印刷される。検査データの後刻返送の場合には、これをいつすべきかを「覚えている」か、知っている人は誰もいない。したがって、このような「遅れた入力」は、しばしば、光学式保管庫から失われてしまう。
【０００６】
そのような医療記録を閲覧する現行システムもまた、欠点を有する。このようなシステムは、ある種の報告書を見るためには、異なるデータベースに個別にログインすることをユーザに要求する。例えば、Ｘ線を見るためには、Ｘ線を見るためのアプリケーション・プログラムにログインしなければならない。ＩＣＵ報告書を見るためには、ユーザは、さらなるアプリケーション・プログラムにログインしなければならない。複数のアプリケーション・プログラムにログインしなければならないことは、しばしば、多くの異なるログインすべき名前とパスワードを持つユーザにとっては、非常に時間がかかり、面倒であり、紛らわしい。また、病院／医療センターは、どのユーザが各種アプリケーション・プログラムにアクセスし、機密事項であるデータを見たかを知る容易な方法がない。
【発明の開示】
【課題を解決するための手段】
【０００７】
発明の詳細な説明
本発明の一実施形態は、既存の医療データ取得装置と、完全な医療法的記録が、後の閲覧のために光学式保管庫中に保管されていることを確保するために、相互作用してもよい。この実施形態は、商業的に利用可能な「臨床情報システム」（“ＣＩＳ”）、例えば、医療環境の監視下にある患者、例えば集中治療室、または他の患者治療ユニット内などの患者、のためのデータ取得機能を有するＣＡＲＥＶＵＥ（フィリップス・メディカル・システムス・カーディアック・アンド・モニタリング・システムス、アンドーバ、マサチューセッツ）［Ｐｈｉｌｉｐｓ  Ｍｅｄｉｃａｌ  Ｓｙｓｔｅｍｓ  Ｃａｒｄｉａｃ  ａｎｄ  Ｍｏｎｉｔｏｒｉｎｇ  Ｓｙｓｔｅｍｓ，Ａｎｄｏｖｅｒ，ＭＡ］から入手可能）などと、通信をする可能性がある。ＣＡＲＥＶＵＥは、治療中の全患者のデータを取得し、その生データをＩＣＵサーバのデータベース中に保存する。この実施形態は、どのデータがどの報告書に特有かをデータベースに確認する質問をするための制御サーバを含む可能性がある。その特有のデータが見つかると、制御サーバは、どの報告書が生成されるべきかを判定する。その後、制御サーバは、データベースに生データのどれがどの患者のものであるかを判定し、特定の患者のどのデータがどの報告書にあるのかを判定する。
【０００８】
このような質問が解決された後、制御サーバは、また、各報告書のデータの「保存時間」を判定できる。光学式報告書は、通常、ＣＡＲＥＶＵＥによって、医療シフトの終了時などのように設定された間隔で生成される。しかしながら、その報告書が生成されるときに、そのような情報がＣＡＲＥＶＵＥにまだ入力されていなければ、その情報は報告書から漏れることになろう。そこでデータの入力遅れがもうないということを確認するために、制御サーバは、各報告書用の情報の保存時間を判定する。すべての情報が一報告書のシフト内にあれば、そのときには、その報告書は、シフト内で生成されたものと認識される（すなわち、午前８時から午後８時までのシフトに対しては、その報告書は開始時間を午前８時、終了時間を午後８時と記載する）。しかしながら、ある報告書用の任意の情報が、前のシフトの報告が生成された後に保存されたなら、そのシステムはその報告書を自動的に再印刷し、光学式保管庫が、その情報が取得された期間の完全な報告書を含むことを確保する。言い換えれば、もしある情報が、そのシフトの開始の前の、午前６時３０分のものであれば、そのときには、この報告書はこの開始時間を反映するために修正される（すなわち、午前８時から午後８時までのシフト用に、報告書は開始時間を前日の午後８時とその日の午後８時に記載するであろう）。
【０００９】
一旦制御サーバがどのユーザのためにどの報告書を生成するかを決定し、入力時間を決定したならば、制御サーバは、ＣＡＲＥＶＵＥシステムと通信して、ＣＡＲＥＶＵＥにどの報告書が作成されるべきか、その報告書がカバーすべき期間を指示できる。このようにすれば、ＣＡＲＥＶＵＥは、制御システムのそれらの指示にしたがって報告書を作成し、これによって、ブランクまたはデータのない報告書のＣＡＲＥＶＵＥから生成されるのを予防するとともに、「遅れた入力」も光学式保管庫に保存されることを保障する。ＣＡＲＥＶＵＥは、その後、その光学式報告書を作成する報告書キャプチャ・サーバに送ることもできる。この報告書キャプチャ・サーバは、ついでその光学式報告書を報告書キャプチャ・保管庫に送り、ここで光学式媒体に光学式報告書を書きこむ。この光学式媒体は、その後、光学式ジュークボックスに置かれて、その上に含まれた光学式報告書はウェブ・ベース閲覧システムを介してアクセスできるようにすることもできる。
【００１０】
このウェブ・ベース閲覧システムは、ユーザがＣＡＲＥＶＵＥならびに他のタイプの報告書、例えばＸ線画像と検査結果などへアクセスができる企業ソフトウェアを含むことができる。この企業ソフトウェアは、ユーザに複数の報告書へのアクセスを可能にする便利な方法を提供することができる。このアクセスには、報告書システムの各個別のタイプに別個のログインをすることが要求される。この企業ソフトウェアは、このような報告書にアクセスするユーザの名前を、プライバシーの目的でログすることもできる。
【００１１】
図１は、本発明の一実施形態による光学式保管庫システムを示す。この光学式保管庫システムは、ＣＡＲＥＶＵＥ  ＣＩＳサーバ１０５を含むこともできる。上に論じたように、ＣＡＲＥＶＵＥは、市販のＣＩＳの一例にすぎない。このＣＡＲＥＶＵＥ  ＣＩＳサーバ１０５は、ＩＣＵのような病院環境で監視されている患者のためにデータを取得するのに利用することができる。このＣＡＲＥＶＵＥ  ＣＩＳサーバ１０５は、データベースによって監視されている全患者のために、取得した生データを保存することもできる。このＣＡＲＥＶＵＥ  ＣＩＳサーバ１０５は、制御サーバ１００と通信することもできる。このＣＡＲＥＶＵＥ  ＣＩＳサーバ１０５は、それに保存されているデータを基にして報告書を生成し、その報告書を報告書キャプチャ・サーバ１１０に送ることもできる。この制御サーバ１００は、ＣＡＲＥＶＵＥ  ＣＩＳサーバ１０５によって作成された報告書を制御するために利用することもできる。この制御サーバ１００は、ＣＡＲＥＶＵＥ  ＣＩＳサーバ１０５に、空の報告書を含む可能な報告書をすべて生成する代わりに、サーバ１０５に保存されているデータに基づいた報告書だけを生成させるようにすることもできる。
【００１２】
制御サーバ１０５は、ＣＡＲＥＶＵＥ  ＣＩＳサーバ１０５のために、どのデータがどの報告書に特有かを判定するために、データベース１０７の構成を質問することもできる。例えば、患者名、体重、年齢は、全報告書を生成するために利用可能である。一方、他のデータ、例えば、血液ガス測定は、「血液ガス」報告書のような特定の報告書に特有のものとする。したがって、制御サーバ１００は、必要な報告書だけを生成するために設計されているので（すなわち、データがその患者のために測定され、データベース中に置かれた報告書）、制御サーバ１００は、どのデータがどの報告書に採用されるのかを知っている必要がある。
【００１３】
構成が決定されたら、制御サーバ１００は、その後、含まれているどのデータがどの患者のものであるかを判定するためにデータベース１０７に、質問することができる。例えば、もしＩＣＵ中に１０人の患者が監視されているとすると、データベース１０７中には、１０人の患者のデータが存在すると考えられる。制御サーバ１００は、そのため、データベース１０７に、ある特定の患者のデータのどれが、どの報告書に属するのかを質問する。例えば、制御サーバ１００は、ある患者の血液ガス報告書を生成するために必要なすべてのデータを判定する必要があるとする可能性がある。例えば、（ａ）患者の名前、年齢、体重などを含む、すべての報告書に共通のデータ、および（ｂ）その患者の血液ガス・レベルの測定値のような血液ガス報告書に特有のデータ、が考えられる。次に、制御サーバ１００は、ＣＡＲＥＶＵＥ  ＣＩＳサーバ１０５に、制御サーバ１００により「必要」であると判定された報告書（例えば、看護シフト期間中に更新されたデータを含んだ報告書）だけを生成するように命令するかもしれない。
【００１４】
どの報告書が生成されるのかの指示が出されると、ＣＡＲＥＶＵＥ  ＣＩＳサーバ１０５は、その報告書を生成することができる。ＣＡＲＥＶＵＥ  ＣＩＳサーバ１０５は、例えば、シフトの終了直後のような設定された間隔で、報告書を生成することができる。あるいは、制御サーバ１００は、シフトの終了までその質問をするのを待つことができ、そして少なくともいくつかの質問が答えられた後にのみ、その報告書を生成する指示がＣＡＲＥＶＵＥ  ＣＩＳサーバ１０５に送られる。ひとたび報告書が生成されると、その報告書は、報告書キャプチャ・サーバ１１０に送ることができ、それらは光学式報告書保管庫１１５に送信されるまで待ち行列に入れておく。光学式報告書保管庫１１５は、受け取った報告書を、一つ以上の記憶ディスクのような記録媒体に書き込むことができる。この記憶ディスクは、光媒体でもよい。報告書はすべて両記憶ディスクに同時に書き込まれるか、または一つずつ書き込まれる。他の実施形態においては、その報告書は単一のディスクまたは複数のディスクに書き込まれてもよい。ある実施形態においては、各ディスクは５．２ＧＢのデータを保存できるカートリッジでもよく、別の記憶容量を有する光カートリッジでも使用可能である。各ディスクは、一旦書き込むと変更ができない追記型（“ＷＯＲＭ”）カートリッジでもよい。他の実施形態においては、各ディスクは、ＣＤまたはＤＶＤのような異なるタイプの光媒体で形成されてもよい。さらに別の実施形態においては、そのディスクは、パーソナル・コンピュータに普通に使われているものに類似のディスク・ドライブ、またはランダム・アクセス・メモリの大型アレイでもよい。記憶ディスクの一つは、完全に書き込まれたとき光ジュークボックス１１７中に置かれてもよい。他のすべての記憶ディスクは、バックアップとして使われてもよく、安全保管のために除去されてもよい。
【００１５】
光ジュークボックス１１７中に記憶された光学式報告書は、ウェブ閲覧システム１２０を介してアクセスできる。光ジュークボックス内に含まれるすべての報告書の合計、ならびに書き込み処理中の報告書は、「報告書アーカイブ」と呼んでもよい。ウェブ閲覧システム１２０は、検査結果、すべての書き取り報告書、放射線報告書と画像（“ＰＡＣＳ”）、病理学報告書、ＥＣＧ、ＩＣＵフローシート、監視下のベッドの波形、分娩部急部記録などを含む、病院／医療介護センターにおける本質的にすべての臨床データへのアクセスを提供できる。ウェブ閲覧システム１２０は、ＨＴＭＬコードを含むことができ、ＣＡＲＥＶＵＥ報告書を、丁度上述の臨床データのような報告書アーカイブから瞬時に検索することができる。ウェブ・ブラウザ・プラグ・インが、個々の報告書を見るには必要かもしれない。病院／医療介護センター中のすべての臨床ワークステーションは、基本的構成の部分としてプラグ・イン・インストールしてもよい。ウェブ閲覧システム１２０は、特定のユーザによって閲覧され要請される報告書を記録するための中央地点を提供するのに利用可能である。したがって、その記録は、むしろウェブ閲覧システム１２０によって決定されてよく、ＣＡＲＥＶＵＥ報告書システムを提供する第三機関のウェブサイトにおいてではない。また、このウェブ閲覧システム１２０は、ユーザにＣＡＲＥＶＵＥ、Ｘ線報告書、分娩部急部記録などにアクセスすることを可能にし、これらのシステムのサーバに別々に記録する必要がない。
【００１６】
光学式記録媒体は、本発明のすべての実施形態に必要とはされない。別の実施形態においては、記録媒体は、磁気ディスク、磁気テープ、ＲＡＭ、または任意の記憶媒体でよい。しかしながら、「一度書き込み」光媒体は、医療法的チャートのための理想的な記録媒体である。というのは、それには耐久性があり、一旦書き込まれると変更が不可能だからである。
【００１７】
図２Ａは、本発明の一実施形態による制御サーバ１００を示す。示されているように、制御サーバ１００は、処理装置２００と記憶装置２０５を含むことができる。処理装置２００は、記憶装置２０５に記憶されているコードを実行して制御サーバ１００の質問方法を遂行させる。
【００１８】
図２Ｂは、本発明の一実施形態によるウェブ閲覧システム１１５を示す。示されているように、このウェブ閲覧システム１２０は、処理装置２１０と記憶装置２１５を含むことができる。処理装置２１０は、記憶装置２１５に記憶されているコードを実行してウェブ閲覧システム１２０のウェブ閲覧機能を遂行させる。ウェブ閲覧システム１２０はまた、モニターのような表示装置２２０を含む。代替的に、表示装置２２０は、ウェブ閲覧システム１２０から離れた位置に置くこともできる。ウェブ閲覧システム１２０はまた、ユーザからログインとパスワードを請求するログイン・モジュール２２５を含むこともできる。アクセス・モジュール２３０は、有効なログインとパスワードの入力により、ユーザに報告書へのアクセスを可能にする。ログ・モジュール２３５は、ユーザが選択した選択肢を記録し、閲覧のために選択された報告書を記録することができる。閲覧モジュール２４０は、閲覧のために選択された報告書を表示装置に提供することができる。
【００１９】
図３は、本発明の一実施形態によるＣＡＲＥＶＵＥ  ＣＩＳサーバ１０５のデータベース１０７に質問する方法を示す。先ず、制御サーバ１００が、データベースに質問すべき時間かどうかを判定３００するかもしれない。上に論じたように、その質問は、シフトの直後に発生するかもしれず、または任意の他の時間に発生するかもしれない。もし“いいえ”であれば、処理は、動作３００でとまったままとなる。もし“はい”ならば、処理は動作３０５まで進み、ここではデータベース１０７の構成が、どのデータがどの報告書に特有かを判定すべく質問がなされる。ついで、データベース１０７が質問を受け３１０、どのデータがどの患者に対応するかが判定される。それから、データベース１０７が質問を受け３１５、どのデータが各患者のためのどの報告書に属するかが判定される。他の実施形態においては、動作３１０と３１５が行われる順序が逆になることもある。制御サーバ１００は、その上で、各報告書のための保存時間を決定し３２０、もしその時間がシフトの開始より早ければ、生成される報告書の時間を調整することができる。言い換えれば、制御サーバ１００は、データベース１０７中のデータのどれかが問題のシフトより早いシフトのどれかに対応するかどうかを判定できる。もし、そのようなデータで早いシフト用のものがあれば、そのときには、そのデータに対応する報告書作成時間は、このより早い時間を反映するために自動的に調整される。報告書の請求は、その後、ＣＡＲＥＶＵＥ  ＣＩＳサーバ１０５へ送られて３２５、請求された報告書が生成される。
【００２０】
選択された報告書が生成されて、報告書保管庫に保存された後、これらはウェブ閲覧システム１２０のユーザによって閲覧可能となる。これらの報告書を閲覧するためには、ユーザは、ウェブ閲覧アプリケーション・プログラムにログインできる。ひとたびログインすると、ウェブ閲覧システムは、ユーザがＣＡＲＥＶＵＥ報告書、またはさまざまな他の報告書、例えば、Ｘ線、検査結果、すべての書き取り報告書、放射線報告書と画像（“ＰＡＣＳ”）、病理学報告書、ＥＣＧ、ＩＣＵフローチャート、監視下のベッドの波形、分娩部急部記録などにアクセスできるようになる。
【００２１】
図４は、この発明の一実施形態によるブラウザ選択ウェブページを示す。先ず、ユーザは、ログインとパスワードを促される。ユーザが有効なログインとパスワードを入力すると、このユーザは、ブラウザ選択ウェブページのメイン・ページ４００に到達できる。そのメイン・ページ４００の左側には、報告書プルダウン・メニュー４０５が現れており、これからユーザは閲覧する報告書のタイプを選択できる。例えば、ユーザは、ＣＡＲＥＶＵＥ、Ｘ線、検査結果、などを報告書のタイプとして選択することができる。ユーザの選択は、その後、ウェブ・ブラウザ・プログラムによってログインすることができる。他の実施形態においては、報告書の別のタイプがアクセス可能である。ひとたび報告書のタイプが選択されると、ユーザは、選択した報告書を見るために、ウェブ・ブラウザを介してアプリケーション・プログラムにアクセスできる。ユーザは、利用可能な報告書閲覧用の種々なアプリケーション・プログラムに個別にログインしなくとも、選択された報告書を見ることができる。ひとたび選択されると、アプリケーション・プログラムは、表示ウィンドウ４１０にディスプレイされる。
【００２２】
図５Ａは、本発明の一実施形態による保管報告書ページ５００の選択の一例を示す。ひとたびウェブ閲覧システム・プログラムにログインすると、ユーザは、閲覧用表示リスト中の任意の報告書を選択できる。リストされている全報告書は、データを含んでいる。言い換えれば、すべての報告書のどれもブランク、空白、または「データレス」ではない。示されているように、進捗覚書報告書（すなわち、上から三番目の報告書）が、選択された患者に対して入手可能である。この報告書は、２００３年３月２日の１９時から２００３年３月３日の７時までのシフト用である。したがって、データが取得され始めた開始時間は、２００３年３月２日１９時として記載されている。「記録時間」、すなわち、報告書が生成された時間、もまた記載できる。示されているように、進捗覚書は、２００３年３月３日の１５時３２分に記録されている。
【００２３】
選択された患者のシフト報告書もまた入手可能である（すなわち、最上行にリスト）。この報告書は、２００３年３月２日の１６時の開始時間を記載している。その終了時間は、２００３年３月３日の８時２３分である。開始時間がシフトの開始より早い（すなわち、１９時）理由は、１６時からシフトの開始（すなわち、１９時）までの間のデータが、前のシフトの報告書が保管庫に印刷された後（すなわち、２００３年３月２日の１９時に終了のシフト）、記録に追加されたからである。したがって、医療目的と法的目的のためには、そのようなデータは、まだ光学式保管庫に追加されねばならず、その報告書用に入手可能なデータが取得されはじめた最初の時間に間に合うよう、記録の開始時間が単純に後ろに拡張される（すなわち、２００３年３月２日の１６時）。
【００２４】
人口呼吸器フローシート、ＭＡＲ報告書、および学際的プラン報告書を含む、他の種々の報告書もまた入手可能である。報告書を閲覧するには、ユーザは、報告書の名称をクリックすれば、その報告書が、閲覧や印刷のために画面上で開く。
【００２５】
図５Ｂは、本発明の一実施形態による代替的な保管庫報告書選択ページ５１０を示す。図示されているように、この代替的な保管庫報告書選択ページ５１０は、複数の患者の入手可能な報告書をリストすることができる（例えば、スティーブ・ジョンソン、デュレック・テリー、ザック・フーバー、ラリー・テイト、およびチップ・ダグラス）。
【００２６】
図６Ａは、本発明の一実施形態による生命維持器官兆候報告書６００の一実施形態を示す。示されているように、ある患者の報告書６００は、２００３年３月３日の１９時と２００３年の３月４日の午前７時の間からのものである。追加的な情報、例えば、患者の年齢、体重、アレルギー、および家族医師など、もまた生命維持器官兆候報告書６００上に記載されている。この生命維持器官兆候報告書６００はまた、患者の次のようなデータも記載する。２００３年３月３日の１９時における、心拍数“１０８”、リズム“Ｓ  頻脈”、呼吸回数“１４”、およびアート／ＢＰ“１２２／５９”、など。
【００２７】
図６Ｂは、本発明の位置実施形態による生命維持器官兆候と入力／出力報告書６１０の一実施形態を示す。この生命維持器官兆候と入力／出力報告書６１０は、ＨＣ０３とＳｖＯ２の測定値のような測定値を記載することができる。入力／出力測定値はまた、Ｄ５Ｗ＋３０ＫＰｈｏｓ、ＥＲ晶質、ＩＶＰＢ  Ｄ５Ｗ、ＩＶＰＢ  ＮＳ、ＮＳ４５％、ＯＲ晶質、ＯＲコロイド、重大な、ＰＯ液、ＯＲ血液、詰まったＲＢＣ、フェンタニル、プロポフォル、正規インシュリンについて記載する。出力測定値はまた、尿フォレイ、ＧＩ出力ＮＧ、ＧＩ出力大便、およびＥｓｔ血液損失について記載する。この生命維持器官兆候と入力／出力報告書６１０はまた、晶質、コロイド、血液、ＴＰＮ、ＰＯ／ＮＧ入力、および点滴剤を記載する。
【００２８】
図６Ｃは、本発明の一実施形態による人工呼吸器フローシート６２０の一実施形態を示す。この人工呼吸器フローシート６２０は、次の情報を記載することができる。すなわち、人工呼吸器タイプ、人工呼吸器番号、モード、感度圧力、設定Ｆｉ０２ベント、観測Ｆｉ０２ベント、設定呼吸回数、観測呼吸回数、設定タイダル容量、タイダル容積ｍｌ／ｋｇ、吐出タイダル容積、吐出タイダル容積（Ｃｏｒ．）、吐出分ベント、制御圧力、ＰＥＥＰ、ピーク吸気圧力、圧力支援レベル、管補償、気流加速度％、呼気感度、気流／基本流量、気流／感度、ピーク気流、気流パタン、吸気時間、Ｉ／Ｅ比、静的圧力、静的順応性、空気路抵抗、平均空気路圧力、吐息容量、吐息頻度、温度設定、観測温度、およびＭＤレビューである。
【００２９】
図７は、本発明の位置実施形態によるウェブ閲覧システムの運転方法を示す。先ず、ユーザは、ユーザ名とログインを促されるかもしれない７００。このウェブ閲覧システムは、それから、有効なログインとパスワードが入力されたかどうかを判定するかもしれない７０５。もし、「いいえ」なら、動作７００に戻る。もし「はい」なら、工程は、動作７１０に進み、ここでは、種々のタイプの報告書がユーザに表示される。これらの選択肢には、例えば、次のタイプの報告書が含まれる。すなわち、ＣＡＲＥＶＵＥ、Ｘ線、検査結果、などである。ユーザは７１５を選択にすると、ユーザの選択はセキュリティの目的でログインされ７２０、それから、選択されたタイプの報告書に対応したアプリケーション・プログラムにアクセスする。したがって、もしＣＡＲＥＶＵＥが選択されると、ユーザはＣＡＲＥＶＵＥアプリケーション・プログラムに接続され７２５、再ログインの必要がない。
【００３０】
上の説明が本発明の特定の実施形態を参照しているのに対して、多くの修正がこの精神から離れることなく、なされうることを理解できるであろう。付随する請求事項は、そのような修正をカバーする意図を有する。ここに開示した実施形態は、したがって、すべての意味において説明のためのものであって、制限を加えるためのものではないと解釈すべきであり、この発明の範囲は、添付された請求範囲によってこそ指示されるものであり、前述の説明によって指示されるものではない。その上、請求範囲の等価性の意味と範囲内に当てはまるすべての変化は、したがって、包含されものと意図するものである。
【図面の簡単な説明】
【００３１】
【図１】図１は、本発明の一実施形態による光学式保管庫システムを示す。
【図２】図２Ａは、本発明の一実施形態による制御サーバを示す。図２Ｂは、本発明の一実施形態によるウェブ閲覧システムを示す。
【図３】図３は、本発明の一実施形態によるＣＡＲＥＶＵＥ  ＣＩＳサーバのデータベースへの質問方法を示す。
【図４】図４は、本発明の一実施形態によるブラウザ選択ウェブページを示す。
【図５Ａ】図５Ａは、本発明の一実施形態による保管報告書の選択ページを示す。
【図５Ｂ】図５Ｂは、本発明の一実施形態による代替的な保管報告書の選択ページを示す。
【図６Ａ】図６Ａは、本発明の一実施形態による生命維持器官の兆候を示す。
【図６Ｂ】図６Ｂは、本発明の一実施形態による生命維持器官の兆候と入力／出力報告書を示す。
【図６Ｃ】図６Ｃは、本発明の一実施形態による人工呼吸器フローシートを示す。
【図７】図７は、本発明の一実施形態によるウェブ閲覧システムの操作方法を示す。
【図１】
2005530221.tif 000003
【図２】
2005530221.tif 000004
【図３】
2005530221.tif 000005
【図４】
2005530221.tif 000006
【図５Ａ】
2005530221.tif 000007
【図５Ｂ】
2005530221.tif 000008
【図６Ａ】
2005530221.tif 000009
【図６Ｂ】
2005530221.tif 000010
【図６Ｃ】
2005530221.tif 000011
【図７】
2005530221.tif 000012
【手続補正書】
【提出日】平成16年12月21日(2004.12.21)
【手続補正１】
【補正対象書類名】特許請求の範囲
【補正対象項目名】全文
【補正方法】変更
【補正の内容】
【特許請求の範囲】
【請求項１】
一人以上の患者の生の監視データを保存し、生の監視データに基づいて所定の時間間隔で光学式報告書を生成し、データベースを含む臨床情報システム（ＣＩＳ）サーバと、
前記生の監視データに基づいて報告書を生成することを決定する制御サーバを含む光学式報告書生成システムであって、前記光学式報告書は、前記生の監視データに基づいて生成できるすべての光学式報告書を含むことを特徴とする光学式報告書生成システム。
【請求項２】
光学式報告書を保存する光学式アーカイブをさらに含むことを特徴とする、請求項１に記載の光学式報告書生成システム。
【請求項３】
光学式保管庫がウェブ閲覧システムによってアクセス可能であることを特徴とする、請求項１に記載の光学式報告書生成システム。
【請求項４】
前記生の監視データが各光学式報告書について固有であることを判定するためにデータベースの構成にクエリを発するようになっている前記制御サーバを特徴とする、請求項１に記載の光学式報告書生成システム。
【請求項５】
ある患者が前記の生の監視データのどれに関連しているかを判定するためにデータベースにクエリを発するようになっている前期制御サーバを特徴とする、請求項１に記載の光学式報告書生成システム。
【請求項６】
各患者に対して光学式報告書を生成することを判定するためにデータベースにクエリを発するようになっている前記制御サーバを特徴とする、請求項１に記載の光学式報告書生成システム。
【請求項７】
前記制御サーバは、各光学式報告書に対応する前記生の監視データの保存時間を判断し、保存時間が所定の間隔よりも早いときに光学式報告書の開始時間を調整するようになっていることを特徴とする、請求項１に記載の光学式報告書生成システム。
【請求項８】
光学式医療報告書の生成方法であって、
一人以上の患者の生の監視データを臨床情報システム（ＣＩＳ）データベースのデータベース中に保存することと、
前記生の監視データに基づいて、生成する報告書を決定し、前記光学式報告書は、前記生の監視データに基づいて生成されうるすべてのありうる光学式報告書を含むものとすることと、
前記生の監視データに基づいて、所定の時間間隔で光学式報告書を生成すること、を含むことを特徴とする方法。
【請求項９】
光学式保管庫に光学式報告書を保存することをさらに含むことを特徴とする、請求項８による方法。
【請求項１０】
ウェブ閲覧システムを介して光学式保管庫にアクセスすることをさらに含むことを特徴とする、請求項８による方法。
【請求項１１】
前記生の監視データが各光学式報告書に特有であることを判定するためにデータベースの構成をクエリすることをさらに含むことを特徴とする、請求項８による方法。
【請求項１２】
前記の生の監視データのそれぞれがどの患者に属するのかを判定するためにデータベースにクエリすることをさらに含むことを特徴とする、請求項８による方法。
【請求項１３】
各患者に対して生成すべき光学式報告書を判定するためにデータベースにクエリすることをさらに含むことを特徴とする、請求項８による方法。
【請求項１４】
各光学式報告書に対応する前記生の監視データの保存時間を決定すること、そして保存時間が所定の間隔より早いときに、開始時間を調整することをさらに含むことを特徴とする、請求項８による方法。
【請求項１５】
機械実行時に結果として生じる次の命令を保存している保存媒体を備えることを特徴とする物品。
一人以上の患者の生の監視データを、臨床情報システム（ＣＩＳ）データベースのデータベース中に保存すること；
前記生の監視データに基づいて生成する報告書を決定すること、ただしその光学式報告書は前記の生の監視データに基づいて生成できるすべてのありうる光学式報告書を含むものとする；および、
所定の時間間隔で、前記の生の監視データに基づいて光学式報告書を生成すること。
【請求項１６】
前記命令がさらに、光学式保管庫中に光学式報告書を保存されることを特徴とする、請求項１５による物品。
【請求項１７】
前記命令がさらに、おのおのの光学式報告書に特有の前記生の監視データを判定するためにデータベースの構成にクエリを発せさせることを特徴とする、請求項１５による物品。
【請求項１８】
前記命令がさらに、前記生の監視データのそれぞれがどの患者に属するかを判定するためにデータベースにクエリを発せさせることを特徴とする、請求項１５による物品。
【請求項１９】
前記命令がさらに、各患者に対して生成すべき光学式報告書を判定するためにデータベースにクエリを発せさせることを特徴とする、請求項１５による物品。
【請求項２０】
前記命令がさらに、各光学式報告書に対応するデータの保管時間を判定し、保存時間が所定の間隔よりも早いときに、光学式報告書の保存時間を調整することを特徴とする、請求項１５による物品。
【請求項２１】
ログイン情報の入力をユーザに促すログイン・モジュール；
前記ログイン情報が有効であるときにユーザにウェブ閲覧アプリケーション・プログラムへのアクセスを可能にするアクセス・モジュール、ただし、前記ウェブ閲覧アプリケーション・プログラムはユーザに選択肢を提供するものとし、前記選択肢は光学式報告書のさまざまなタイプに関連するものとする；
選択された光学式報告書をユーザが閲覧するために提供する閲覧モジュール；および、
選択された選択肢を記録するログ・モジュール；
を含むことを特徴とするウェブ閲覧システム。
【請求項２２】
前記選択肢がＣＡＲＥＶＵＥ報告書を含むことを特徴とする、請求項２０によるウェブ閲覧システム。
【請求項２３】
ＣＡＲＥＶＵＥ報告書が集中治療室（ＩＣＵ）中の患者に対応することを特徴とする、請求項２２によるウェブ閲覧システム。
【請求項２４】
ログイン情報が有効なときに、インタフェース・モジュールが報告書アプリケーション・プログラムとインタフェースして、ユーザを報告書アプリケーション・プログラムにログすることを特徴とする、請求項２０によるウェブ閲覧システム。
【請求項２５】
ユーザをログイン情報に促すこと；
ログイン情報が有効なときにユーザにウェブ閲覧アプリケーション・プログラムへのアクセスを可能にすること、ただし、前記ウェブ閲覧アプリケーション・プログラムは、ユーザに選択肢を提供すること、そして前記選択肢はさまざまな光学式報告書に関連していること；
閲覧するためにユーザに選択された光学式報告書を提供すること；および、
前記選択された選択肢とログでユーザにより閲覧される光学式報告書を記録すること；
を含む報告書アプリケーション・プログラムへのアクセスを提供する方法。
【請求項２６】
選択肢がＣＡＲＥＶＵＥ報告書を含むことを特徴とする、請求項２５による方法。
【請求項２７】
ＣＡＲＥＶＵＥ報告書が集中治療室（ＩＣＵ）中の患者に対応していることを特徴とする、請求項２６による方法。
【請求項２８】
ログイン情報が有効なときにユーザを報告書アプリケーション・プログラムにログするための報告書アプリケーション・プログラムとのインタフェースをさらに含むことを特徴とする、請求項２５による方法。
【請求項２９】
機械実行に結果として生じる次の命令を保存している保存媒体を備える物品。
ユーザにログイン情報を促すこと；
ログイン情報が有効なときにユーザにウェブ閲覧アプリケーション・プログラムへのアクセスを可能にすること、ただし、ウェブ閲覧アプリケーション・プログラムはユーザに選択肢を提供し、前記選択肢はさまざまな光学式報告書に関連していること；
ユーザの閲覧のために選択された選択肢報告書を提供すること；および、
選択された選択肢とログでユーザにより閲覧された光学式報告書を記録すること。
【請求項３０】
その選択肢がＣＡＲＥＶＵＥ報告書を含むことを特徴とする、請求項２９による物品。
【請求項３１】
そのＣＡＲＥＶＵＥ報告書が集中治療室（ＩＣＵ）中の患者に対応することを特徴とする、請求項３０による物品。
【請求項３２】
前記命令がさらに、ログイン情報が有効なときに、ユーザを報告書アプリケーション・プログラムにログするように報告書アプリケーション・プログラムとのインタフェースをもたらすことを特徴とする、請求項２９による物品。
【国際調査報告】
2005530221.tif 000013
2005530221.tif 000014